(57)【要約】【課題】機能部品の汎用性を高めることができる空気調和機の提供。【解決手段】空気調和機１００は、室内熱交換器５１と、機能部品６０と、仕切板６１と、側板６３とを備えている。室内熱交換器５１には、凹部５８ａを含む屈曲部５８が形成されている。機能部品６０は、凹部５８ａに収納されている。仕切板６１は、機能部品６０の移動を規制する規制部６２を有する。また、側板６３は、機能部品６０の移動を規制する規制部６４を有する。また、仕切板６１および側板６３は、室内熱交換器５１の側端部近傍に固定される。【選択図】図３
2010117064.tif 000002
【特許請求の範囲】
【請求項１】
凹部（５８ａ，１５８ａ，２５８ａ）を含む屈曲部（５８，２５８）が形成された熱交換器（５１）と、
前記凹部に収納される機能部品（６０，１６０，２６０，４６０）と、
前記機能部品の移動を規制する規制部（６２，６４，１６２，２６２）を有し、前記熱交換器の側端部近傍に固定される装着部材（６１，６３，１５４ｃ，２６１）と、
を備える空気調和機（１００）。
【請求項２】
前記規制部は、前記凹部の少なくとも一部を覆う、
請求項１に記載の空気調和機。
【請求項３】
前記規制部と前記装着部材とは一体的に形成されている、
請求項１または２に記載の空気調和機。
【請求項４】
前記熱交換器は、複数のフィン（５２ａ，５３ａ，５４ａ，５５ａ，１５４ａ，２５４ａ，２５５ａ）と複数の前記フィンを貫通する伝熱管（５２ｂ，５３ｂ，５４ｂ，５５ｂ，１５４ｂ，２５４ｂ，２５５ｂ）とを有し、
前記装着部材は、前記伝熱管に嵌合する嵌合部（６１ａ，６３ａ，１６１ａ，２６１ａ）を更に有する、
請求項１から３のいずれかに記載の空気調和機。
【請求項５】
前記装着部材（６３）は、前記熱交換器の形状を維持するための強度部材である、
請求項４に記載の空気調和機。
【請求項６】
前記装着部材（１５４ｃ）は、複数の前記伝熱管の両端部を支持する管板である、
請求項４に記載の空気調和機。
【請求項７】
前記装着部材（２６１）は、前記フィンと前記フィンとの間に挿入されて前記熱交換器に固定される、
請求項４に記載の空気調和機。
【請求項８】
空気流を生成することが可能であり、前記熱交換器の前記空気流下流側に配置されるファン（１１）を更に備え、
前記装着部材（６１）は、前記熱交換器の前記空気流上流側において、前記空気流を前記熱交換器に案内するための仕切板である、
請求項１から４のいずれかに記載の空気調和機。
【請求項９】
前記機能部品は、菌の繁殖を抑制する抗菌部、臭気成分を吸着する脱臭部、または、芳香を放つ芳香部のうちの少なくともいずれか１つを有する、
請求項１から８のいずれかに記載の空気調和機。
【発明の詳細な説明】
【技術分野】
【０００１】
本発明は、屈曲した形状を有する熱交換器を備える空気調和機に関する。
【背景技術】
【０００２】
従来より、屈曲した形状を有する熱交換器を備える空気調和機がある。このような熱交換器には、その屈曲部に空間が形成されることが多く、この空間を通過する空気は熱交換器において熱交換されずに熱交換器の上流側から下流側に流れることがある。そこで、このように屈曲部に空間が形成されるような熱交換器には、この空間に空気の流れを妨げるための機能部品が収納されているものがある。
【０００３】
例えば、屈曲部の空間にスペーサ（機能部品に相当）が収納されており、このスペーサには、プレートフィンに係合する前片、後片、および、垂下片（以下、係合部という）が形成されているプレートフィン型熱交換器がある（特許文献１参照）。この熱交換器では、係合部とプレートフィンとが係合することによって、屈曲部の空間に収納されたスペーサを熱交換器に固定することができる。
【特許文献１】特開平３−５５４９４号公報
【発明の開示】
【発明が解決しようとする課題】
【０００４】
しかしながら、特開平３−５５４９４号公報に開示されているように機能部品に係合部が形成されている場合、屈曲角度の異なる熱交換器にはプレートフィンと係合部とが係合しないために機能部品を熱交換器に固定できないおそれがある。このように、機能部品自体を熱交換器に固定することで、機能部品の汎用性が乏しくなるおそれがある。
【０００５】
そこで、本発明の課題は、機能部品の汎用性を高めることができる空気調和機を提供することにある。
【課題を解決するための手段】
【０００６】
第１発明に係る空気調和機は、熱交換器と、機能部品と、装着部材とを備えている。熱交換器には、凹部を含む屈曲部が形成されている。機能部品は、凹部に収納されている。装着部材は、機能部品の移動を規制する規制部を有する。また、装着部材は、熱交換器の側端部近傍に固定される。
【０００７】
第１発明に係る空気調和機では、熱交換器の側端部近傍に固定される装着部材の有する規制部によって、機能部品の移動が規制されている。このため、この空気調和機では、機能部品を間接的に熱交換器に固定することができる。
【０００８】
これによって、機能部品の汎用性を高めることができる。
【０００９】
第２発明に係る空気調和機は、第１発明の空気調和機であって、規制部は、凹部の少なくとも一部を覆う。このため、この空気調和機では、機能部品の移動を規制することができる。
【００１０】
第３発明に係る空気調和機は、第１発明または第２発明の空気調和機であって、規制部と装着部材とは、一体的に形成されている。このため、例えば、規制部と装着部材とが別々に形成される場合と比較して、部品点数を少なくすることができる。
【００１１】
第４発明に係る空気調和機は、第１発明から第３発明のいずれかの空気調和機であって、熱交換器は、複数のフィンと、複数のフィンを貫通する伝熱管とを有する。また、装着部材は、伝熱管に嵌合する嵌合部を更に有する。このため、嵌合部が伝熱管に勘合することによって、装着部材を熱交換器に固定することができる。
【００１２】
第５発明に係る空気調和機は、第４発明の空気調和機であって、装着部材は、熱交換器の形状を維持するための強度部材である。このため、この空気調和機では、熱交換器の形状を維持することができる。
【００１３】
第６発明に係る空気調和機は、第４発明の空気調和機であって、装着部材は、複数の伝熱管の両端部を支持する管板である。このため、この空気調和機では、管板によって機能部品の移動を規制することができる。
【００１４】
第７発明に係る空気調和機は、第４発明の空気調和機であって、装着部材は、フィンとフィンとの間に挿入されて熱交換器に固定される。このため、この空気調和機では、容易な構成によって、機能部品の移動を規制することができる。
【００１５】
第８発明に係る空気調和機は、第１発明から第４発明のいずれかの空気調和機であって、空気流を生成することが可能であり、熱交換器の空気流下流側に配置されるファンを更に備えている。また、装着部材は、熱交換器の空気流上流側において、空気流を熱交換器に案内するための仕切板である。このため、この空気調和機では、仕切板によって、機能部品の移動を規制することができる。
【００１６】
第９発明に係る空気調和機は、第１発明から第８発明のいずれかの空気調和機であって、機能部品は、菌の繁殖を抑制する抗菌部、臭気成分を吸着する脱臭部、または、芳香を放つ芳香部の少なくともいずれか１つを有する。このため、例えば、機能部品が抗菌部を有している場合には、熱交換器にカビや細菌が繁殖するおそれを減らすことができる。したがって、カビや細菌が繁殖することによって発生する臭気を抑えることができる。また、例えば、機能部品が、脱臭部を有している場合には、熱交換部を通過する空気の臭気を抑えることができる。また、例えば、機能部品が芳香部を有している場合には、熱交換部を通過する空気に芳香を紛れ込ませることができる。したがって、室内に供給される空気の臭気を抑えることができる。
【発明の効果】
【００１７】
第１発明に係る空気調和機では、機能部品の汎用性を高めることができる。
【００１８】
第２発明に係る空気調和機では、機能部品の移動を規制することができる。
【００１９】
第３発明に係る空気調和機では、部品点数を少なくすることができる。
【００２０】
第４発明に係る空気調和機では、装着部材を熱交換器に固定することができる。
【００２１】
第５発明に係る空気調和機では、熱交換器の形状を維持することができる。
【００２２】
第６発明に係る空気調和機では、管板によって機能部品の移動を規制することができる。
【００２３】
第７発明に係る空気調和機では、容易な構成によって、機能部品の移動を規制することができる。
【００２４】
第８発明に係る空気調和機では、仕切板によって、機能部品の移動を規制することができる。
【００２５】
第９発明に係る空気調和機では、室内に供給される空気の臭気を抑えることができる。
【発明を実施するための最良の形態】
【００２６】
＜空気調和機の構成＞
本発明の一実施形態に係る空気調和機１００を図１に示す。この空気調和機１００は、室内機１０と室外機２０とから構成されており、冷房運転および暖房運転等の通常運転を行うことができる。空気調和機１００は、室内の空気を空気取込口６から室内機１０内部に取り込み、取り込んだ空気に対して空気調和を行い、空気調和された空気を空気吹出口４から室内に吹き出す。
【００２７】
室内機１０内には、後述する室内熱交換器５１（図２参照）等が収納されており、室外機２０内には、後述する室外熱交換器が収納されている。そして、室内機１０内の室内熱交換器５１と、室外機２０内の室外熱交換器とが冷媒配管によって接続されることにより、冷媒回路が構成されている。また、冷媒回路は、室外機２０内に収納される圧縮機と、四路切換弁と、電動膨張弁と、アキュムレータとを含んでいる。
【００２８】
圧縮機は、冷媒回路内に流れる冷媒の圧力を上昇させて冷媒を送り出す。四路切換弁は、圧縮機の吐出側と接続されており、冷房運転時と暖房運転時とで冷媒の流路を変更する。室外熱交換器は、四路切換弁と接続されており、暖房運転時には蒸発器として機能し、冷房運転時には、凝縮器として機能する。また、室外熱交換器は、隣接配置される室外ファンによって室外機２０内に吸い込まれた空気との間で熱交換を行う。電動膨張弁は、室外熱交換器と接続されており、冷媒の圧力を変化させる膨張機構として機能する。例えば、冷房運転時には、室内熱交換器５１を蒸発器として機能させるために、絞り状態となって冷媒を膨張させる。アキュムレータは、圧縮機の吸入側と接続されており、圧縮機に液状の冷媒が混入することを防止する。
【００２９】
以下、室内機１０の構成について説明する。
【００３０】
＜室内機の構成＞
室内機１０は、室内の壁面に取り付けられる壁掛け型の室内機であって、室内機ケーシング５を備えている。
【００３１】
室内機ケーシング５には、上述の室内熱交換器５１を有する室内熱交換ユニット５０や室内ファン１１等が収容されている（図２参照）。また、室内機ケーシング５には、図１に示すように、空調のための空気取込口６と空気吹出口４とが形成されている。
【００３２】
空気取込口６は室内機ケーシング５の上部に設けられており、室内の空気を室内機ケーシング５の内側に取り込むための開口である。室内の空気は、室内ファン１１によって空気取込口６から室内機ケーシング５の内側に取り込まれる。
【００３３】
空気吹出口４は、室内機ケーシング５の前面下部に設けられている。また、空気吹出口４近傍には、空気吹出口４を覆うように水平フラップ７が設けられている。水平フラップ７は、フラップモータ（図示せず）によって回転駆動され、空気の案内方向を変更したり、空気吹出口４を開閉したりする。
【００３４】
室内ファン１１は、円筒形状に構成され、周面には回転軸方向に羽根が設けられているクロスフローファンである。室内ファン１１は、室内熱交換器５１の空気流下流側に配置されている。また、室内ファン１１は、回転駆動することによって、回転軸と交わる方向に空気流を生成する。このため、室内ファン１１は、室内の空気を室内機１０内に吸い込ませるとともに、室内熱交換器５１との間で熱交換を行った後の空気を室内に吹き出させる。
【００３５】
次に、室内熱交換ユニット５０の構成について説明する。
【００３６】
＜室内熱交換ユニットの構成＞
室内熱交換ユニット５０は、上述の室内熱交換器５１と、機能部品６０と、仕切板６１と、側板６３とを備えている。
【００３７】
室内熱交換器５１は、室内ファン１１の前方、上方および後部上方を取り囲むように配置されている。また、室内熱交換器５１は、上述のように、室内ファン１１が駆動されることにより、空気取込口６から取り込まれた空気を室内ファン１１側に通過させ、後述する伝熱管５２ｂ，５３ｂ，５４ｂ，５５ｂ内部を通過する冷媒との間で熱交換を行わせる。室内熱交換器５１は、室内熱交換ユニット５０の側面視において、略逆Ｖ字型に屈曲した形状を有している。
【００３８】
室内熱交換器５１は、図２、図３、図４、および図５に示すように、第１熱交換部５２、第２熱交換部５３、第３熱交換部５４および第４熱交換部５５の４つの部分に分割されている。また、分割された各熱交換部５２，５３，５４，５５は、それぞれ水平方向に長い板状の形状を有している。なお、図２では、後述する仕切板６１の規制部６２を省略している。
【００３９】
第１熱交換部５２は、その上端が室内機１０の前方へ向けて傾斜して配置されており、室内ファン１１の上方から後部上方を覆うように配置されている。また、第２熱交換部５３は、その上端が室内機１０の後方へ向けて傾斜して第１熱交換部５２の前方に配置されている。また、第２熱交換部５３の上端は、第１熱交換部５２の上端に近接している。このため、室内熱交換器５１の頂上部には、側面視において逆Ｖ字型形状の屈曲部５６が形成されている。
【００４０】
また、第２熱交換部５３は、室内ファン１１の前部上方を覆うように配置されている。第３熱交換部５４は、第２熱交換部５３の下方に配置されており、第３熱交換部５４の上端は、第２熱交換部５３の下端に近接している。このため、第２熱交換部５３の下端と第３熱交換部５４の上端とを含む部分には、側面視において、くの字型形状の屈曲部５７が形成されている。
【００４１】
さらに、第３熱交換部５４は、室内ファン１１の前方を覆うように配置されている。第４熱交換部５５は、第３熱交換部５４の下方に配置されており、第４熱交換部５５の下端が室内機１０の後方へ向けて傾斜して配置されている。また、第４熱交換部５５の上端は、第３熱交換部５４の下端に近接している。このため、第３熱交換部５４の下端と第４熱交換部５５の上端とを含む部分には、側面視において、くの字型形状の屈曲部５８が形成されている。
【００４２】
このように、この室内熱交換器５１では、各熱交換部５２，５３，５４，５５がそれぞれ傾斜するように配置されているため、図３に示すように、屈曲部５６，５７，５８が凹部５６ａ，５７ａ，５８ａを有している。凹部５６ａ，５７ａ，５８ａとは、各熱交換部５２，５３，５４，５５の分割面の間に長手方向に沿って形成される隙間であって、略Ｖ字型形状の空間のことである。
【００４３】
また、凹部５６ａ，５７ａ，５８ａは、図３に示すように、各熱交換部５２，５３，５４，５５の正面視において、各熱交換部５２，５３，５４，５５の分割面によって覆われていない部分、すなわち、凹部５６ａ，５７ａ，５８ａの側方、および、凹部５６ａ，５７ａ，５８ａの上方または前方に開口を有している。なお、凹部５６ａ，５７ａ，５８ａの有する上方または前方の開口とは、具体的には、室内熱交換器５１の正面視において、凹部５６ａでは、室内熱交換器５１の頂上部に位置する開口のことであり、凹部５７ａ，５８ａでは、室内熱交換器５１の前面部に位置する開口のことである。なお、以下では、凹部５８ａの有する開口のうち側方に位置する開口を側方開口５８ｂとし、凹部５８ａの有する開口のうち前方に位置する開口を上方開口５８ｃとする。
【００４４】
また、各熱交換部５２，５３，５４，５５は、両側端で複数回折り返されてなる伝熱管５２ｂ，５３ｂ，５４ｂ，５５ｂと、複数の伝熱管５２ｂ，５３ｂ，５４ｂ，５５ｂに挿通される短冊状の複数のフィン５２ａ，５３ａ，５４ａ，５５ａとを有している。伝熱管５２ｂ，５３ｂ，５４ｂ，５５ｂは、各熱交換部５２，５３，５４，５５の両端側においてＵ字型の伝熱管（図示せず）によって折り返されている。なお、複数の伝熱管５２ｂ，５３ｂ，５４ｂ，５５ｂは、その両端が管板（図示せず）によって固定されている。このため、各熱交換部５２，５３，５４，５５では、管板が、複数のフィン５２ａ，５３ａ，５４ａ，５５ａを挟むように配置されている。
【００４５】
機能部品６０は、分割されている室内熱交換器５１の間、すなわち、屈曲部５８の凹部５８ａを空気や水滴が通過することを防ぐために、図２、図４および図５に示すように、凹部５８ａに収納されている。
【００４６】
また、機能部品６０は、その長手方向の寸法が凹部５８ａの寸法、すなわち、室内熱交換器５１の長手方向の寸法と略同一の棒状の部材である。また、機能部品６０の表面部には、カビや細菌の繁殖を抑制することができる抗菌剤が塗布されている。このため、室内熱交換器５１において発生した凝縮水等によって抗菌剤が徐々に溶け出し、溶け出した抗菌剤が凝縮水とともにドレンパン（図示せず）に流れる。
【００４７】
仕切板６１は、図３、図４および図５に示すように、第２熱交換部５３、第３熱交換部５４および第４熱交換部５５に沿った形状を呈している。また、仕切板６１は、伝熱管５３ｂ，５４ｂ，５５ｂに嵌合する嵌合部６１ａを有している。嵌合部６１ａは、図３に示すように、伝熱管５３ｂ，５４ｂ，５５ｂに引っ掛かるように略Ｊ字型の形状を呈しており、第２熱交換部５３、第３熱交換部５４および第４熱交換部５５の右側面から延びる伝熱管５３ｂ，５４ｂ，５５ｂと嵌合することができる。このようにして、仕切板６１は、室内熱交換器５１の右側端部に固定されている。
【００４８】
また、仕切板６１は、室内熱交換器５１の右側端部から室内ファン１１によって生成される空気流の流れ方向とは逆の方向、すなわち、空気流の下流側から上流側に向かう方向に向かって延びている。このため、室内熱交換器５１の右側端部において、室内熱交換器５１の上流側から流れてくる空気を室内熱交換器５１に案内することができる。したがって、室内熱交換器５１の上流側から流れてくる空気が室内熱交換器５１の右側方に流れてしまい、室内から取り込まれた空気が室内熱交換器５１を通過せずに室内に吹き出されるおそれを減らすことができる。
【００４９】
また、仕切板６１は、図３に示すように、機能部品６０の移動を規制する規制部６２を有している。規制部６２は、図３および図４に示すように、凹部５８ａの側方開口５８ｂを覆う第１部分６２ａと、凹部５８ａの上方開口５８ｃの一部を覆う第２部分６２ｂとを含む。第１部分６２ａは、図３および図６に示すように、略三角形状の板状の部材であって、第２熱交換部５３、第３熱交換部５４および第４熱交換部５５に仕切板６１が取り付けられた状態で、上述のように、凹部５８ａの側方開口５８ｂの略全部を覆うことができる位置に形成されている。また、第２部分６２ｂは、図４に示すように、略長方形状の板状の部材であって、第２熱交換部５３、第３熱交換部５４および第４熱交換部５５に仕切板６１が取り付けられた状態で、上述のように、凹部５８ａの上方開口５８ｃの一部を凹部５８ａの右側方から覆うことができる位置に形成されている。このため、第１部分６２ａと第２部分６２ｂとは、それぞれが直交する方向に延びるように形成されている。
【００５０】
なお、本実施形態において、規制部６２は、仕切板６１と一体的に形成されている。また、本実施形態では、規制部６２は仕切板６１と一体的に形成されているが、これに限定されず、機能部品６０の移動を規制することができれば、規制部と仕切板とが別体で形成されていてもよい。
【００５１】
なお、本実施形態における「左右」とは室内熱交換ユニット５０の正面視における左右方向を意味しており、「前後」とは室内熱交換ユニット５０の正面視における前後方向を意味している。
【００５２】
側板６３は、略三角形状を呈しており、室内ファン１１が収納されている室内熱交換器５１の内部空間Ｓ１（図２および図３参照）と、室内熱交換器５１の側方空間Ｓ２（図３参照）とを区切るための部材である。また、側板６３は、Ｕ字型の伝熱管に嵌合する嵌合部６３ａを有している。嵌合部６３ａは、図３に示すように、略長方形状の開口であって、室内熱交換器５１の左側面から延びるＵ字型の伝熱管と嵌合することができる。
【００５３】
このようにして、側板６３は、室内熱交換器５１の左側端部に固定されるとともに、各熱交換部５２，５３，５４，５５を支持している。このため、室内熱交換器５１の形状を維持することができる。また、側板６３は仕切板６１と同様の機能を有しており、室内熱交換器５１の上流側から流れてくる空気が室内熱交換器５１の左側方に流れてしまい、室内から取り込まれた空気が室内熱交換器５１を通過せずに室内に吹き出されるおそれを減らすことができる。
【００５４】
さらに、側板６３は、機能部品６０の移動を規制する規制部６４を有している。規制部６４は、凹部５８ａの側方開口５８ｂを覆う第３部分６４ａと、凹部５８ａの上方開口５８ｃの一部を覆う第４部分６４ｂとを含む。第３部分６４ａは、側板６３において各熱交換部５２，５３，５４，５５の側方に配置される部分の一部であって、各熱交換部５２，５３，５４，５５に側板６３が取り付けられた状態で、上述のように、凹部５８ａの側方開口５８ｂの略全部を覆うことができる部分のことである。また、第４部分６４ｂは、略長方形状の板状の部材であって、各熱交換部５２，５３，５４，５５に側板６３が取り付けられた状態で、上述のように、凹部５８ａの上方開口５８ｃの一部を凹部５８ａの左側方から覆うことができる位置に形成されている。すなわち、第４部分６４ｂは、第３部分６４ａと直交する方向に延びるように形成されている。
【００５５】
なお、本実施形態では、規制部６４は側板６３と一体的に形成されている。また、本実施形態では、規制部６４が側板６３と一体的に形成されているが、これに限定されず、機能部品６０の移動を規制することができれば、規制部と側板とが別体で形成されていてもよい。
【００５６】
このような構成によって、室内熱交換ユニット５０では、仕切板６１の規制部６２の有する第１部分６２ａによって機能部品６０の右側方への移動を規制することができ、側板６３の規制部６４の有する第３部分６４ａによって機能部品６０の左側方への移動を規制することができる。また、仕切板６１の規制部６２の有する第２部分６２ｂおよび側板６３の規制部６４の有する第４部分６４ｂによって、凹部５８ａの上方開口５８ｃの一部が左右端部から覆われているため、機能部品６０の前後方向への移動を規制することができる。
【００５７】
＜特徴＞
（１）
上記実施形態では、仕切板６１は室内熱交換器５１の右側端部に固定されており、側板６３は室内熱交換器５１の左側端部に固定されている。また、仕切板６１の規制部６２の第１部分６２ａによって機能部品６０の右側方への移動が規制されている。また、側板６３の規制部６４の第３部分６４ａによって機能部品６０の左側方への移動が規制されている。さらに、仕切板６１の規制部６２の第２部分６２ｂおよび側板６３の規制部６４の第４部分６４ｂによって、機能部品６０の前後方向への移動が規制されている。このため、側板６３および仕切板６１によって、機能部品６０を間接的に室内熱交換器５１に固定することができる。
【００５８】
これによって、機能部品６０の汎用性を高めることができている。
【００５９】
（２）
上記実施形態では、規制部６２は第１部分６２ａと第２部分６２ｂとを含んでおり、規制部６４は第３部分６４ａと第４部分６４ｂとを含んでいる。第１部分６２ａは、第２熱交換部５３、第３熱交換部５４および第４熱交換部５５に仕切板６１が取り付けられた状態で、凹部５８ａの側方開口５８ｂの略全部を覆うことができる。第２部分６２ｂは、第２熱交換部５３、第３熱交換部５４および第４熱交換部５５に仕切板６１が取り付けられた状態で、凹部５８ａの上方開口５８ｃの一部を凹部５８ａの右側方から覆うことができる。また、第３部分６４ａは、各熱交換部５２，５３，５４，５５に側板６３が取り付けられた状態で、凹部５８ａの側方開口５８ｂの略全部を覆うことができる。また、第４部分６４ｂは、各熱交換部５２，５３，５４，５５に側板６３が取り付けられた状態で、凹部５８ａの上方開口５８ｃの一部を凹部５８ａの左側方から覆うことができる。このため、側板６３および仕切板６１によって、機能部品６０の移動を規制することができる。
【００６０】
（３）
上記実施形態では、規制部６２は、仕切板６１と一体的に形成されている。また、規制部６４は側板６３と一体的に形成されている。このため、例えば、規制部と仕切板または側板とが別体で形成されている場合と比較して、部品点数を少なくすることができている。
【００６１】
（４）
上記実施形態では、仕切板６１は、第２熱交換部５３、第３熱交換部５４および第４熱交換部５５の右側面から延びる伝熱管５３ｂ，５４ｂ，５５ｂと嵌合する嵌合部６１ａを有している。また、側板６３は、室内熱交換器５１の左側面から延びるＵ字型の伝熱管と嵌合する嵌合部６３ａを有している。このため、嵌合部６１ａ，６３ａが伝熱管に嵌合することによって、仕切板６１および側板６３を室内熱交換器５１に固定することができる。
【００６２】
（５）
上記実施形態では、規制部６４を有する側板６３が各熱交換部５２，５３，５４，５５を支持することで、室内熱交換器５１の形状を維持することができる。このため、側板６３によって、機能部品６０の移動が規制され、かつ、室内熱交換器５１の形状が維持されている。
【００６３】
（６）
上記実施形態では、規制部６２を有する仕切板６１は、室内熱交換器５１の右側端部において、室内熱交換器５１の上流側から流れてくる空気を室内熱交換器５１に案内することで、室内熱交換器５１の上流側から流れてくる空気が室内熱交換器５１の右側方に流れるおそれを減らすことができる。このため、仕切板６１によって、機能部品６０の移動が規制され、かつ、室内から取り込まれた空気が室内熱交換器５１を通過せずに室内に吹き出されるおそれを減らすことができている。
【００６４】
（７）
上記実施形態では、機能部品６０の表面部には、カビや細菌の繁殖を抑制することができる抗菌剤が塗布されている。抗菌剤は、室内熱交換器５１において発生した凝縮水等によって徐々に溶け出し、凝縮水とともにドレンパンへと流れる。このため、フィン５２ａ，５３ａ，５４ａ，５５ａの表面やドレンパンにおいてカビや細菌が繁殖するおそれを減らすことができている。
【００６５】
＜変形例＞
（Ａ）
上記実施形態では、仕切板６１が室内熱交換器５１の右側端部に固定されており、側板６３が室内熱交換器５１の左側端部に固定されている。
【００６６】
これに代えて、室内熱交換器の両側に規制部を有する仕切板が配置されていてもよい。この場合、側板が規制部を有していなくても、機能部品の移動を規制することができる。
【００６７】
これによって、側板を備えなくても、機能部品の移動を規制することができる。
【００６８】
また、室内熱交換器の両側に規制部を有する側板が配置されていてもよい。この場合、仕切板が規制部を有していなくても、機能部品の移動を規制することができる。
【００６９】
これによって、仕切板を備えなくても、機能部品の移動を規制することができる。
【００７０】
さらに、仕切板や側板に代えて、複数の伝熱管の両端に配置されており複数の伝熱管を支持する管板によって機能部品の移動が規制されてもよい。
【００７１】
例えば、図７（ａ）に示すように、管板１５４ｃが規制部１６２を有している室内熱交換ユニットについて説明する。なお、この室内熱交換ユニットにおいて、室内熱交換器の構成は上記実施形態と同様であるため、説明を省略する。
【００７２】
第３熱交換部１５４の有する複数の伝熱管１５４ｂは、管板１５４ｃによって固定されている。また、第３熱交換部１５４の伝熱管１５４ｂの端部に配置される管板１５４ｃは、規制部１６２を有している。規制部１６２は、管板１５４ｃの端部に一体的に形成されており、第１部分１６２ａと、第２部分１６２ｂとを含む。第１部分１６２ａは、第３熱交換部１５４の有するフィン１５４ａの側方に管板１５４ｃが配置された状態で、図７（ａ）に示すように、凹部１５８ａの側方開口１５８ｂを覆うことができる。また、第２部分１６２ｂは、フィン１５４ａの側方に管板１５４ｃが配置された後に、図７（ｂ）の矢印で示す方向に折り曲げられることによって、凹部１５８ａの上方開口１５８ｃの一部を覆うことができる。
【００７３】
管板１５４ｃは、第３熱交換部１５４の両端部に配置されるため、規制部１６２は、凹部１５８ａの左右の側方開口１５８ｂを覆い、かつ、凹部１５８ａの上方開口１５８ｃの一部を左右方向から覆うことになる。したがって、管板１５４ｃによって、機能部品１６０の移動を規制することができる。
【００７４】
これによって、側板や仕切板を備えていなくても、機能部品１６０の左右方向、および、上下方向の移動を規制することができる。
【００７５】
なお、図７において、符号１６１ａは嵌合部を示しており、嵌合部１６１ａは伝熱管１５４ｂが挿通するように設けられた円板状の開口である。
【００７６】
（Ｂ）
上記実施形態では、仕切板６１および側板６３によって機能部品６０の移動が規制されている。
【００７７】
これに代えて、室内熱交換器の側端部近傍に配置される専用部品によって機能部品の移動が規制されてもよい。
【００７８】
例えば、屈曲部２５８の有する凹部２５８ａに収納されている機能部品２６０の移動を規制することが可能な規制部２６２を有する専用部品２６１について説明する（図８参照）。
【００７９】
規制部２６２は、図８（ａ）に示すように、第１部分２６２ａと第２部分２６２ｂとを含む。第１部分２６２ａは、凹部２５８ａの側方開口２５８ｂの形状と略同一の形状、すなわち、略三角形状を有している。また、第２部分２６２ｂは、第１部分２６２ａの端部から第１部分２６２ａと直交する方向に延びるように形成されている。
【００８０】
また、専用部品２６１には、第３熱交換部２５４の下部に位置する伝熱管２５４ｂおよび第４熱交換部２５５の上部に位置する伝熱管２５５ｂに嵌合する嵌合部２６１ａが形成されている。このため、専用部品２６１の嵌合部２６１ａが、図８（ｂ）に示すように、第３熱交換部２５４および第４熱交換部２５５の左右側端部において、伝熱管２５４ｂ，２５５ｂにそれぞれ嵌合することで、第２部分２６２ｂによって凹部２５８ａの上方開口２５８ｃの一部が覆われ、第１部分２６２ａによって凹部２５８ａの左右の側方開口２５８ｂが覆われる。
【００８１】
また、図８（ｃ）に示すように、専用部品２６１がフィン２５４ａ，２５５ａとフィン２５４ａ，２５５ａとの間に差し込まれて、嵌合部２６１ａと伝熱管２５４ｂ，２５５ｂとが嵌合してもよい。
【００８２】
このように、専用部品２６１が第３熱交換部２５４および第４熱交換部２５５の両側端部近傍に配置されることで、機能部品２６０の移動を規制することができる。
【００８３】
なお、図８（ａ）では、専用部品２６１の第１部分２６２ａに相当する部分を点線で示している。
【００８４】
また、専用部品２６１の形状を容易に成形するために、図９に示すように、専用部品２６１の一部（第１部分２６２ａ近傍）に略三角形状の切り欠き部２８０が設けられてもよい。このように切り欠き部２８０を設け、図９（ａ）に示す矢印の方向に切り欠き部２８０部分が折り曲げられることによって、第３熱交換部２５４および第４熱交換部２５５の両側端部近傍に配置することが可能な専用部品２６１の形状（図９（ｂ）参照）を形成することができる。
【００８５】
（Ｃ）
上記実施形態では、機能部品６０は、その長手方向の寸法が室内熱交換器５１の長手方向の寸法と略同一の棒状の部材である。
【００８６】
これに代えて、機能部品が板状の部材であってもよい。
【００８７】
例えば、その長手方向の寸法が室内熱交換器の長手方向の寸法と略同一であり、図１０に示すように、側面視において略Ｖ字型形状を呈する板状の機能部品４６０について説明する。この機能部品４６０は、略長方形状の板状部材であって、長手方向と直交する方向の略中央付近において、第３熱交換部および第４熱交換部の分割面に沿うように折り曲げられている。このため、この室内熱交換ユニットでは、機能部品が棒状である場合と比較して、凹部を空気や水滴が通過するおそれを減らすことができる。したがって、凹部におけるシール性を向上させることができる。また、機能部品４６０が、第３熱交換部および第４熱交換部の分割面に沿っているため、第３熱交換部および第４熱交換部の折り曲げ角度を矯正することができる。
【００８８】
また、機能部品として、抗菌剤の塗布された棒状部材と、上述の板状の部材とが共に凹部に収納されていてもよい。
【００８９】
（Ｄ）
上記実施形態では、機能部品６０の表面部には抗菌剤が塗布されているが、これに限定されず、抗菌剤、消臭剤、または、芳香剤の少なくともいずれか１つが塗布されていてもよい。
【００９０】
例えば、機能部品の表面部に臭気成分を吸着する消臭剤が塗布されている場合には、機能部品近傍を通過する空気の臭気が吸着されるため、室内に供給される空気の臭気を抑えることができる。また、例えば、機能部品の表面部に芳香を放つ芳香剤が塗布されている場合には、機能部品近傍を通過する空気に芳香を紛れ込ませることができる。したがって、室内に供給される空気の臭気を抑えることができる。
【産業上の利用可能性】
【００９１】
本発明では、凹部に収納される機能部品の汎用性を高めることができるため、屈曲した形状を有する熱交換器を備える空気調和機への適用が有効である。
【図面の簡単な説明】
【００９２】
【図１】本発明の実施形態に係る空気調和機の外観斜視図。
【図２】室内熱交換ユニットおよび室内ファンの右側面図（規制部は省略）。
【図３】室内熱交換ユニットの分解図。
【図４】室内熱交換ユニットの斜視図。
【図５】室内機の概略斜視図（室内機ケーシングの一部は省略）。
【図６】室内熱交換ユニットの右側面の拡大図。
【図７】（ａ）本発明の変形例（Ａ）における第３熱交換部の有するフィンの近傍に管板が配置された状態を示す図、（ｂ）管板の折り曲げ方向を示す図。
【図８】（ａ）本発明の変形例（Ｂ）における専用部品を示す図、（ｂ）専用部品が熱交換部の側端部に装着された状態を示す図、（ｃ）専用部品がフィンとフィンとの間に装着された状態を示す図。
【図９】（ａ）変形例（Ｂ）における成形前の専用部品を示す図、および、（ｂ）成形された専用部品の形状を示す図。
【図１０】変形例（Ｃ）における機能部品を示す図。
【符号の説明】
【００９３】
１１      室内ファン（ファン）
５１      室内熱交換器（熱交換器）
６１      仕切板（装着部材，仕切板）
６３      側板（装着部材，強度部材）
１００      空気調和機
１５４ｃ    管板（装着部材，管板）
２６１      専用部品（装着部材）
５２ａ，５３ａ，５４ａ，５５ａ，１５４ａ，２５４ａ，２５５ａ  フィン
５２ｂ，５３ｂ，５４ｂ，５５ｂ，１５４ｂ，２５４ｂ，２５５ｂ  伝熱管
５８，２５８  屈曲部
５８ａ，１５８ａ，２５８ａ  凹部
６０，１６０，２６０，４６０  機能部品
６１ａ，６３ａ，１６１ａ，２６１ａ  嵌合部
６２，６４，１６２，２６２  規制部
【図１】
2010117064.tif 000003
【図２】
2010117064.tif 000004
【図３】
2010117064.tif 000005
【図４】
2010117064.tif 000006
【図５】
2010117064.tif 000007
【図６】
2010117064.tif 000008
【図７】
2010117064.tif 000009
【図８】
2010117064.tif 000010
【図９】
2010117064.tif 000011
【図１０】
2010117064.tif 000012